(57)【要約】【課題】電源スイッチの誤った操作や、意図していない場合の異常信号によって累積点灯時間がリセットされることを防止する放電灯点灯装置を提供する。【解決手段】放電灯点灯装置のマイコンは、累積点灯時間を暫定的にリセットする暫定リセット操作（Ｎ１，Ｎ２）を検出した場合、累積点灯時間がリセットされた場合に相当する駆動周波数でインバータ回路の制御を開始し、かつ、暫定リセット操作後の放電灯点灯時間Ｔｓｈ２の計測を累積点灯時間とは別に開始する。マイコンは、計測時間Ｔｓｈ２がリセット確定猶予時間（例えば１時間）に達する前に累積点灯時間の暫定的リセット状態のキャンセル操作（Ｎ３，Ｎ４）を検出した場合、インバータ回路の制御を累積点灯時間を参照した制御に戻す。点灯時間Ｔｓｈ２がリセット確定猶予時間に達するまでにキャンセル操作を検出しなかった場合、不揮発性メモリに記録された累積点灯時間のリセットを確定する。【選択図】図２
2011124128.tif 000002
【特許請求の範囲】
【請求項１】
交流電源から供給される電力に基づきランプを点灯させる点灯回路と、前記ランプの累積点灯時間を記録する不揮発性メモリとを備え、前記不揮発性メモリに記録された累積点灯時間を参照して前記点灯回路の駆動周波数を制御することにより、前記ランプの光出力を制御するランプ点灯装置において、
前記交流電源がオンとオフとのどちらの状態にあるかを示す交流電源状態信号を検出する交流電源検出回路と、
前記交流電源に対してオフ、オンを繰り返す所定の操作であると共に前記累積点灯時間を暫定的にリセットする暫定リセット操作を前記交流電源検出回路の検出する前記交流電源状態信号に基づいて検出した場合には、前記累積点灯時間をリセットすることなく前記累積点灯時間がリセットされた場合に相当する駆動周波数で前記点灯回路の制御を開始し、かつ、前記暫定リセット操作後の前記ランプの点灯時間を示す暫定リセット操作後点灯時間の計測を前記累積点灯時間とは別に開始し、前記暫定リセット操作後点灯時間が予め設定されたリセット確定猶予時間に達する前に前記交流電源に対してオフ、オンを繰り返す所定の操作であると共に前記累積点灯時間の暫定的なリセット状態をキャンセルするキャンセル操作を前記交流電源検出回路の検出する前記交流電源状態信号に基づいて検出した場合には、前記点灯回路の制御を前記累積点灯時間を参照した制御に戻し、前記暫定リセット操作後点灯時間が前記リセット確定猶予時間に達するまでに前記キャンセル操作を検出しなかった場合には、前記不揮発性メモリに記録された前記累積点灯時間をリセットするリセット制御部と
を備えたことを特徴とする点灯装置。
【請求項２】
前記点灯装置は、さらに、
前記ランプの異常を検出する異常検出回路を備え、
前記リセット制御部は、
前記異常検出回路によって前記ランプの異常が検出された場合には、前記累積点灯時間をリセットすることなく前記累積点灯時間がリセットされた場合に相当する駆動周波数で前記点灯回路の制御を開始し、かつ、異常検出後の前記ランプの点灯時間を示す異常検出後点灯時間の計測を前記累積点灯時間とは別に開始し、前記異常検出後点灯時間が前記リセット確定猶予時間に達する前に前記キャンセル操作を前記交流電源検出回路の検出する前記交流電源状態信号に基づいて検出した場合には、前記点灯回路の制御を前記累積点灯時間を参照した制御に戻し、前記異常検出後点灯時間が前記リセット確定猶予時間に達するまでに前記キャンセル操作を検出しなかった場合には、前記不揮発性メモリに記録された前記累積点灯時間をリセットすることを特徴とする請求項２記載の点灯装置。
【請求項３】
交流電源から供給される電力に基づきランプを点灯させる点灯回路と、前記ランプの累積点灯時間を記録する不揮発性メモリとを備え、前記不揮発性メモリに記録された累積点灯時間を参照して前記点灯回路の駆動周波数を制御することにより、前記ランプの光出力を制御するランプ点灯装置において、
前記交流電源がオンとオフとのどちらの状態にあるかを示す交流電源状態信号を検出する交流電源検出回路と、
前記ランプの異常を検出する異常検出回路と、
前記異常検出回路によって前記ランプの異常が検出された場合には、前記累積点灯時間をリセットすることなく前記累積点灯時間を暫定的にリセットすることにより前記累積点灯時間がリセットされた場合に相当する駆動周波数で前記点灯回路の制御を開始し、かつ、異常検出後の前記ランプの点灯時間を示す異常検出後点灯時間の計測を前記累積点灯時間とは別に開始し、前記異常検出後点灯時間が予め設定されたリセット確定猶予時間に達する前に前記交流電源に対してオフ、オンを繰り返す所定の操作であると共に前記累積点灯時間の暫定的なリセット状態をキャンセルするキャンセル操作を前記交流電源検出回路の検出する前記交流電源状態信号に基づいて検出した場合には、前記点灯回路の制御を前記累積点灯時間を参照した制御に戻し、前記異常検出後点灯時間が前記リセット確定猶予時間に達するまでに前記キャンセル操作を検出しなかった場合には、前記不揮発性メモリに記録された前記累積点灯時間をリセットするリセット制御部と
を備えたことを特徴とする点灯装置。
【請求項４】
請求項１〜３のいずれかに記載の点灯装置を備えた照明器具。
【請求項５】
請求項４に記載の複数の照明器具と、
前記複数の照明器具に対する交流電源の供給をオン、オフする電源スイッチと
を備えた照明システム。
【発明の詳細な説明】
【技術分野】
【０００１】
この発明は、ランプを点灯させる点灯回路と、ランプの累積点灯時間を記録する不揮発性メモリとを備え、不揮発性メモリに記録された累積点灯時間を参照して点灯回路の駆動周波数を制御することにより、ランプの光出力を制御する点灯装置に関する。
【背景技術】
【０００２】
ランプ（放電灯）は累積点灯時間が大きくなると劣化して暗くなる。この劣化に対して、点灯装置の出力を大きくして光の劣化を補うことで、累積点灯時間に関わらず一定の光出力を得ることができる。このことからランプの累積点灯時間を記録する不揮発性メモリを備え、この累積点灯時間に従ってランプを点灯させることで、ランプの光出力が一定となるように点灯制御する照明用点灯装置が存在する。
【０００３】
しかし、照明器具のメンテナンスやランプ寿命の場合にはランプを交換する。このため、ランプ交換の際して累積点灯時間をリセットする何らかの方法が必要であった。
【０００４】
例えば電源スイッチの所定のオンオフ操作で不揮発性メモリの累積時間をリセットする技術がある（例えば特許文献１）。あるいは、蛍光ランプの異常信号に応動して不揮発性メモリの累積点灯時間のデータをリセットする技術がある（例えば特許文献２）。
【先行技術文献】
【特許文献】
【０００５】
【特許文献１】特開２０００−２２３２９６号公報
【特許文献２】特開２０００−２００６９１号公報
【発明の概要】
【発明が解決しようとする課題】
【０００６】
しかしながら電源スイッチの所定のオンオフ操作で不揮発性メモリの累積時間をリセットする場合、誤ってリセットする場合がある。また、異常信号に応動して累積点灯時間をリセットする場合、低温中のランプの整流放電や、また、ランプ掃除などでランプ取り外した際に、異常信号が発生するため、ランプ寿命によるランプ交換ではないのに、累積点灯時間がリセットされることがあった。
【０００７】
この発明は、電源スイッチの誤った操作や、意図していない場合の異常信号によって累積点灯時間がリセットされることを防止する点灯装置の提供を目的とする。
【課題を解決するための手段】
【０００８】
この発明の点灯装置は、
交流電源から供給される電力に基づきランプを点灯させる点灯回路と、前記ランプの累積点灯時間を記録する不揮発性メモリとを備え、前記不揮発性メモリに記録された累積点灯時間を参照して前記点灯回路の駆動周波数を制御することにより、前記ランプの光出力を制御する点灯装置において、前記交流電源がオンとオフとのどちらの状態にあるかを示す交流電源状態信号を検出する交流電源検出回路と、前記交流電源に対してオフ、オンを繰り返す所定の操作であると共に前記累積点灯時間を暫定的にリセットする暫定リセット操作を前記交流電源検出回路の検出する前記交流電源状態信号に基づいて検出した場合には、前記累積点灯時間がリセットされた場合に相当する駆動周波数で前記点灯回路の制御を開始し、かつ、前記暫定リセット操作後の前記ランプの点灯時間を示す暫定リセット操作後点灯時間の計測を前記累積点灯時間とは別に開始し、前記暫定リセット操作後点灯時間が予め設定されたリセット確定猶予時間に達する前に前記交流電源に対してオフ、オンを繰り返す所定の操作であると共に前記累積点灯時間の暫定的なリセット状態をキャンセルするキャンセル操作を前記交流電源検出回路の検出する前記交流電源状態信号に基づいて検出した場合には、前記点灯回路の制御を前記累積点灯時間を参照した制御に戻し、前記暫定リセット操作後点灯時間が前記リセット確定猶予時間に達するまでに前記キャンセル操作を検出しなかった場合には、前記不揮発性メモリに記録された前記累積点灯時間をリセットするリセット制御部とを備えたことを特徴とする。
【発明の効果】
【０００９】
この発明は、電源スイッチの誤った操作や、意図していない場合の異常信号によって累積点灯時間がリセットされることを防止する点灯装置を提供できる。
【図面の簡単な説明】
【００１０】
【図１】実施の形態１の照明システム１０００の構成図。
【図２】実施の形態１の放電灯点灯装置１００の動作概要を説明するタイムチャート。
【図３】実施の形態１の放電灯点灯装置１００の回路図。
【図４】実施の形態１の放電灯点灯装置１００のマイクロコンピュータ５の使用する変数を説明する図。
【図５】実施の形態１の放電灯点灯装置１００の動作を示すフローチャート。
【図６】図５の続きのフローチャート。
【図７】実施の形態２の放電灯点灯装置２００の動作概要を説明するタイムチャート。
【図８】実施の形態２の放電灯点灯装置２００の回路図。
【図９】実施の形態２の放電灯点灯装置２００の動作を示すフローチャート。
【発明を実施するための形態】
【００１１】
実施の形態１．
以下の実施の形態１、実施の形態２では、インバータ回路２（点灯回路）によって、光源（ランプ）である放電灯ＬＡを点灯させる放電灯点灯装置（点灯装置）を説明するが、これは一例である。ランプは放電灯にかぎるものではなく、ＬＥＤなどの他の光源（ランプ）を点灯させる点灯装置でもよい。放電灯以外の他の光源を使用する場合は、インバータ回路に代えて、点灯させる光源に対応した点灯回路、例えば定電流回路などを用いるとよい。
図１〜図６を参照して実施の形態１を説明する。
まず図１〜図３を参照して、概要を説明する。
図１は、実施の形態１の照明システム１０００の構成図である。図２は、放電灯点灯装置１００の動作概要を説明するタイムチャートであり、図３は、放電灯点灯装置１００の回路図である。
【００１２】
（リセット操作とキャンセル操作）
以下の実施の形態１、２は、累積点灯時間を暫定的にリセットするリセット操作と、このリセット操作をキャンセルするキャンセル操作が登場する。このように、以下の実施の形態では、現在の累積点灯時間をクリアして初期状態に戻す操作を「リセット操作」と呼び、この「リセット操作」がなかったこととする操作を「キャンセル操作」という。この「キャンセル操作」が特徴である。
【００１３】
図１に示すように、照明システム１０００は、電源スイッチ１２１を介して商用交流電源１２０から電力供給を受ける。照明システム１０００は、複数の照明器具Ａ〜Ｎと、照明器具Ａ〜Ｎに電力を供給する商用交流電源１２０をオン、オフする電源スイッチ１２１とを備えている。各照明器具は以下に説明する放電灯点灯装置１００を備えている。
【００１４】
放電灯点灯装置１００の主な機能は以下の（Ａ）〜（Ｃ）であり、（Ｃ）が特徴である。
【００１５】
（Ａ．累積点灯時間の参照）  放電灯点灯装置１００は、放電灯ＬＡの累積点灯時間を不揮発性メモリ１８に記録しておき、累積点灯時間を参照してランプを点灯させる。これにより、放電灯ＬＡの累積点灯時間に対してランプ出力が一定となるように点灯制御する。
【００１６】
（Ｂ．累積点灯時間のリセット）
また、放電灯点灯装置１００は、電源スイッチ１２１の所定のオンオフ操作（暫定リセット操作）があるとこれを検出して不揮発性メモリ１３の累積点灯時間を算定的にリセット状態として扱う。
【００１７】
（Ｃ．累積点灯時間のリセットのキャンセル）
放電灯点灯装置１００は、暫定リセット操作後の所定の期間内（リセット確定猶予時間内）に電源スイッチ１２１の所定のオンオフ操作（キャンセル操作）があるとこれを検出して累積点灯時間の暫定リセット状態をキャンセルする。一方、暫定リセット操作後の前記所定の期間内に電源スイッチ１２１の前記キャンセル操作がない場合に暫定リセット操作を暫定状態から確定状態とし、累積点灯時間をリセットする。
【００１８】
図２は実施の形態１の放電灯点灯装置１００の動作概要を説明する図である。図２を参照して放電灯点灯装置１００の上記Ａ〜Ｃの機能に関して説明する。
【００１９】
図３のように、放電灯点灯装置１００は、商用交流電源１２０から供給される電力に基づき放電灯ＬＡを点灯させるインバータ回路２と、放電灯ＬＡの累積点灯時間を記録する不揮発性メモリ１３等を備えている。放電灯点灯装置１００は、不揮発性メモリ１３に記録された累積点灯時間を参照してインバータ回路２の駆動周波数を制御して放電灯ＬＡの光出力を制御する。図３において、商用電源検出回路１２（交流電源検出回路）は、商用交流電源１２０がオンとオフとのどちらの状態にあるかを示す交流電源状態信号を検出する。
【００２０】
（リセット制御１１０の動作）
マイクロコンピュータ５（以下、マイコンという）と、調光制御回路１５とはリセット制御部１１０を構成する。なお、マイコン５と調光制御回路１５と不揮発性メモリ１３とを一つのマイコンで実現してもよい。
【００２１】
＜Ｓ１：「暫定リセット操作」の検出＞
図２において、マイコン５は、商用電源検出回路１２から交流電源状態信号を入力し監視している。マイコン５は、商用交流電源１２０に対して「暫定リセット操作」が行われた場合、交流電源状態信号に基づきこの「暫定リセット操作」を検出する。「暫定リセット操作」とは、図２のＮ１、Ｎ２として示すように、商用交流電源１２０に対してオフ、オンを繰り返す所定の操作であり、かつ、累積点灯時間を暫定的にリセットすることを要求する操作である。「暫定リセット操作」とは、図２において、ＡＣ電源ＯＦＦ期間Ｔ（１）が所定範囲の長さであり、ＡＣ電源ＯＮ期間Ｔ（２）が所定範囲の長さであるＮｉの複数個の組である。なお以下では「期間Ｔ（１）」、「期間Ｔ（２）」という字句を使用する場合があるが、これらはそれぞれ図２のＡＣ電源ＯＦＦ期間Ｔ（１）、ＡＣ電源ＯＮ期間Ｔ（２）を示すものであり、都度説明はしない。図２の場合は、「暫定リセット操作」はＮｉが２個の組として設定された場合を示している。マイコン５は暫定リセット操作を検出すると、累積点灯時間をリセットすることなく、累積点灯時間がリセットされた場合に相当する駆動周波数でインバータ回路２の制御を開始し、かつ、暫定リセット操作後の放電灯ＬＡの点灯時間を示す暫定リセット操作後点灯時間Ｔｓｈ２の計測を累積点灯時間とは別に開始する。
【００２２】
＜Ｓ２：キャンセル操作の検出＞  マイコン５は、暫定リセット操作後点灯時間Ｔｓｈ２が予め設定されたリセット確定猶予時間（例えば１時間である。以下、１時間とする）に達する前に商用交流電源１２０に対して「キャンセル操作」が行われた場合、交流電源状態信号に基づきこの「キャンセル操作」を検出する。「キャンセル操作」とは、図２のＮ３、Ｎ４として示すように、商用交流電源１２０に対してオフ、オンを繰り返す所定の操作であると共に累積点灯時間の暫定的なリセット状態のキャンセルを要求する操作である。「キャンセル操作」は、「暫定リセット操作」と同様に上記Ｎｉの複数個の組である。マイコン５はリセット確定猶予時間の間に「キャンセル操作」を検出すると、インバータ回路２の制御を累積点灯時間を参照した制御に戻し、暫定的なリセット状態をキャンセルする。
＜Ｓ３：キャンセル操作の不検出＞
マイコン５は、暫定リセット操作後点灯時間Ｔｓｈ２がリセット確定猶予時間（１時間）に達するまでにキャンセル操作を検出しなかった場合には、不揮発性メモリ１３に記録された累積点灯時間をリセットし、暫定的な累積点灯時間のリセットを確定させる。
【００２３】
以上のように電源スイッチ１２１の所定操作による累積点灯時間の暫定的リセットに対して、リセット確定猶予時間内のキャンセル操作で暫定的リセットをキャンセルできる構成とした。よって、累積点灯時間のリセット誤動作を回避できる。
【００２４】
図３は、放電灯点灯装置１００の回路図である。図３により放電灯点灯装置１００の構成を説明する。
放電灯点灯装置１００の構成は次の様である。
（１）電源整流回路１は、商用交流電源１２０を入力し、全波整流して脈流電圧を生成する。
（２）アクティブフィルタ回路１１は、この電源整流回路１で整流した脈流電圧を所定の直流電圧値まで昇圧する。
（３）電解コンデンサＣ１は、このアクティブフィルタ回路１１が昇圧した昇圧電圧を平滑する。
（４）インバータ回路２は、この電解コンデンサＣ１によって平滑した平滑電圧を高周波交流電圧に変換する。
（５）負荷回路３は、このインバータ回路２によって変換した高周波交流電圧を放電灯ＬＡに供給するとともに、放電灯ＬＡに流れる電流を制御する。
（６）ドライブ回路４は、インバータ回路の動作を制御する。
（７）マイコン電源回路１４は、電源整流回路１が出力する脈流電圧から制御電圧を生成する。
（８）商用電源検出回路１２は、電源整流回路１とアクティブフィルタ回路１１の間に接続され、電源整流回路１が出力する脈流電圧に比例する電圧の信号（交流電源状態信号）を出力する。
（９）マイコン５は、マイコン電源回路１４が生成する制御電圧で動作し、商用電源検出回路が出力する信号に基づいて、商用交流電源１２０が供給されているか、否かを判別する。
（１０）不揮発性メモリ１３は、マイコン５からの指令により情報を記憶する。
（１１）調光制御回路１５は、マイコン５からの指令により放電灯ＬＡの点灯状態を制御するための信号を生成してドライブ回路４に点灯制御信号を出力する。
【００２５】
なお、商用交流電源１２０は、壁面などに取り付けられる電源スイッチ１２１を介して、放電灯点灯装置１００に電力を供給する。
【００２６】
電源整流回路１で入力された脈流電圧は、アクティブフィルタ回路１１で所定の直流電圧を生成する。
【００２７】
アクティブフィルタ回路１１が生成した直流電圧（電解コンデンサＣ１が平滑した平滑電圧）は、インバータ回路１のＭＯＳＦＥＴ（Ｑ２）、（Ｑ３）が交互にスイッチングすることにより矩形波電圧に変換される。変換された矩形波電圧（高周波交流電圧）は、負荷回路３を介して、放電灯ＬＡに交流電圧が印加され、放電灯ＬＡが高周波点灯する。
【００２８】
放電灯ＬＡが高周波点灯するときの点灯周波数は、ドライブ回路４の動作周波数により決定される。さらに調光制御回路１５は、ドライブ回路４の周波数を制御し、負荷回路３と放電灯ＬＡの共振特性により、放電灯ＬＡの調光を行う。
【００２９】
（マイコン５による制御内容）
放電灯点灯装置１００における制御は、マイコン５が実行する。マイコン５の行う主な制御は次の通りである。
（１）マイコン５は商用電源検出回路１２と接続しており、マイコン５は、商用電源検出回路１２から交流電源状態信号を入力し、交流電源状態信号をもとに商用交流電源１２０が供給されているか否かを検出、判定する。
（２）また、マイコン５は、不揮発性メモリ１３と接続され、放電灯ＬＡを点灯制御している時間を、点灯計時タイマとして記録する。
（３）また、マイコン５は、点灯計時タイマに従い、調光制御回路１５に調光指令を行う。
【００３０】
次に、図４〜図６を参照して、マイコン５の具体的な動作例を説明する。図４はマイコン５の使用する変数を説明する図である。図５と図６は、マイコン５の具体的な動作例を示すフローチャートである。
【００３１】
まず図４を参照してマイコン５が使用する変数について説明する。図４は、図５、図６に登場する変数を表にした図である。
（１）Ｔは電力供給時間を示し、期間Ｔ（２）と同様である。
（２）Ｆは一時停止検出フラグを示し、期間Ｔ（１）が設定範囲（例えば、０．５秒前後）にあるときにマイコン５によって「Ｆ＝１」が設定される。なお一時停止検出フラグＦは図５に示すように、ステップ６Ｂで「ＮＯ」の場合にリセットされる。（３）Ｔｓｈ１は、通常の累積点灯時間である。
（４）Ｆｓｈは一定時間初期点灯フラグを示し、「Ｆｓｈ＝１」の場合にはマイコン５は累積点灯時間がリセットされた初期点灯状態で放電灯を点灯し、「Ｆｓｈ＝０」の場合にはマイコン５は累積点灯時間に従って放電灯を点灯（累積点灯時間に従った通常の光出力制御）する。
（５）Ｔｓｈ２は、暫定的に累積点灯時間がリセットされた場合に、暫定リセット直後から計測される放電灯の点灯時間である。
（６）Ｎは商用交流電源１２０の電源ＯＦＦ／ＯＮカウンタを示し、図２に示した「Ｎｉ」のカウントされた回数である。
【００３２】
（マイコン５の具体的動作）
以下にマイコン５のフローである図５、図６を説明する。以下では例えばステップ１をＳ１のように記載する場合がある。以下の具体例では「電源オフオンカウント回数Ｎ＝２」がリセット条件であり（Ｓ７−２）、「電源オフオンカウント回数Ｎ＝４」がキャンセル条件である（Ｓ８、Ｓ８−１）。
【００３３】
＜Ｓ１，Ｓ２＞
まず、マイコン５は、商用電源検出回路１２からの入力に基づき商用交流電源１２０が供給されていることを検出（ステップ１）すると、不揮発性メモリ１３から、点灯計時タイマＴｓｈ１、一定時間初期点灯制御フラグＦｓｈ、点灯計時タイマＴｓｈ２の情報を読み出す（ステップ２）。なおこの状態では一時停止検出フラグＦは０にリセットされている。
【００３４】
＜Ｓ３＞
次にマイコン５は、商用電源検出回路１２が出力する信号に基づいて、商用交流電源１２０の供給が一時的に途絶えているか否かの電力供給一時停止期間判定を行う（ステップ３）。具体的には、期間Ｔ（１）が設定範囲かどうかを判定する。
【００３５】
＜Ｓ４＞
電力供給停止期間判定を行った結果、一時停止である場合には、マイコン５は、一時停止検出フラグＦを「Ｆ＝１」とし、一時停止でない場合には、一時停止検出フラグのフラグ値は「Ｆ＝０」を維持して変更しない（ステップ４）。
【００３６】
＜Ｓ５＞
次にマイコン５は放電灯点灯制御を行うが、マイコン５は点灯計時タイマＴｓｈ１（累積点灯時間）及び一定時間初期点灯制御フラグＦｓｈ（１であれば累積点灯時間リセット状態の点灯制御、０であれば累積点灯時間に従った点灯制御）に基づく調光度で放電灯ＬＡを点灯させる調光点灯信号を調光制御回路１５に出力するとともに、電力供給時間Ｔの計測を開始する（ステップ５）。ここで電力供給時間Ｔの計測とは期間Ｔ（２）に相当する時間の計測である。
【００３７】
＜Ｓ６Ａ，６Ｂ＞
次に、商用電源検出回路１２が出力する信号に基づいて、商用交流電源１２０が供給されているか否かを判定（ステップ６Ａ）する。Ｓ６Ａ，Ｓ６Ｂのループは、マイコン５が期間Ｔ（２）を検出する動作を示す。マイコン５は、商用交流電源１２０が設定値（例えば、０．５秒前後）の期間を超えて供給されていると判定するとき（期間Ｔ（２）がＯＦＦになることなく電源ＯＮが継続するとき）、ステップ７（電源オフオンカウント回数Ｎが２回未満であるかを判定処理）に移行する。
【００３８】
＜Ｓ６−１〜Ｓ６−５＞
図６においてＳ６−１〜Ｓ６−５を含む範囲（１）は、図２に示したＮｉに該当する操作かどうかを判定する処理過程である。ステップ６Ａで商用交流電源１２０が供給されていないと判断するとき、マイコン５は放電灯ＬＡの消灯を指令する放電灯消灯制御信号を調光制御回路１５に出力し、同時に不揮発性メモリ１３に電力供給時間Ｔ、一時停止検出フラグＦ、点灯計時タイマＴｓｈ１、一定時間初期点灯制御フラグＦｓｈ、及び点灯計時タイマＴｓｈ２の値を書き込む（ステップ６−１）。さらにマイコン５は、電力供給時間Ｔが設定値以下（期間Ｔ（２）が設定範囲かどうか）か否かを判定（ステップ６−２）する。
【００３９】
ステップ６−２で電力供給時間Ｔが設定値を超えると判定するとき、電源オフオンカウントＮの値を、Ｎ＝０とし（ステップ６−３）、処理はステップ１に戻る。ステップ６−３は期間Ｔ（２）が設定範囲にないので、電源のオフオン操作がＮｉとしてカウントされずにＮがリセットされることを意味する。
【００４０】
＜Ｓ６−４：Ｔ≦設定値＞
ステップ６−２で電力供給時間Ｔが設定値以下と判定すると、マイコン５は一時停止検出フラグＦが「Ｆ＝１」であるか否かを判定する。「Ｆ＝１」とは期間Ｔ（１）が設定範囲にあったことを意味する。一時停止検出フラグＦがＦ＝１でないときステップ１に戻る。一時停止検出フラグがＦ＝１のとき、電源オフオンカウントのカウントアップ処理（Ｎ＝Ｎ＋１）を行い（ステップ６−５）、処理はステップ１に戻る。ステップ６−５は、Ｔ≦設定値かつ「Ｆ＝１」であるが、これは図２において、Ｎｉ（例えばＮ１）が検出されたことを意味する。ステップ６−５は、Ｎｉをカウントすることを意味する。
【００４１】
＜Ｓ７，Ｓ８＞
次に、図６のステップ７で電源オフオンカウント回数Ｎが２回未満であるとき、マイコン５は点灯計時タイマＴｓｈ２が設定値（リセット確定猶予時間の１時間）に達しているかを判定（ステップ８）する。
【００４２】
＜Ｓ７−１，Ｓ７−２＞
図６においてＳ７−１，Ｓ７−２を含む範囲（２）は、リセット条件の処理過程である。ステップ７の判定で電源オフオンカウント回数Ｎが２回以上であるとき、マイコン５は、電源オフオンカウント回数Ｎが２回（暫定リセット回数）であるか否かを判定（ステップ７−１）する。電源オフオンカウント回数Ｎが２回であるときは、一定時間初期点灯制御フラグＦｓｈを「Ｆｓｈ＝１」とし、点灯時間タイマＴｓｈ２のタイマを開始（ステップ７−２）して、ステップ８に移行する。
【００４３】
＜Ｓ７−３，Ｓ７−４＞
図６においてＳ７−３，Ｓ７−４を含む範囲（３）は、キャンセル条件の処理過程である。ステップ７−１において電源オフオンカウント回数Ｎが２回でないと判定すると、次にマイコン５は電源オフオンカウント回数Ｎが４回（キャンセル回数）であるか否かを判定（ステップ７−３）する。電源オフオンカウント回数Ｎが４回であると判定すると、マイコン５は一定時間初期点灯制御フラグＦｓｈを「Ｆｓｈ＝０（累積点灯時間Ｔｓｈ１に従う点灯制御）」とする。そして、マイコン５は一定時間初期点灯制御フラグＦｓｈの値を不揮発性メモリ１３に書き込み（ステップ７−４）、ステップ８に移行する。
【００４４】
＜Ｓ７−３＞
ステップ７−３において電源オフオンカウント回数Ｎが４回でないと判定すると、マイコン５の処理はステップ８に移行する。
【００４５】
＜Ｓ８＞
ステップ８において点灯計時タイマ設定Ｔｓｈ２が設定値でない（設定値未満、例えば１時間未満）と判定すると、マイコン５は通常の点灯制御モード（次の処理）へ移行する。ステップ８において点灯計時タイマ設定Ｔｓｈ２が設定値に達した（キャンセル操作ないままリセット確定猶予時間が満了）と判定すると、マイコン５は点灯計時タイマＴｓｈ１（累積点灯時間）をＴｓｈ１＝０、一定時間初期点灯制御フラグＦｓｈをＦｓｈ＝０、点灯計時タイマ設定Ｔｓｈ２をＴｓｈ２＝０としてリセットを確定する。また同時にこれらの値を不揮発性メモリ１３に書き込み（ステップ８−１）、通常の点灯制御モード（次の処理）へ移行する。
【００４６】
このように、マイコン５は、短時間の電源オフであることを定める一時停止検出フラグＦと、一時停止検出フラグＦがあり（Ｆ＝１）、かつ、電源オンしてから電力供給時間タイマが所定値以内に電源オフされたときに、電源オフオンカウントの＋１処理（Ｎのインクリメント処理）する。
【００４７】
（暫定リセット操作の確定）
例えば、電源オフオンカウントによる計時タイマのリセットを２回（暫定リセット操作Ｎ＝２ということ）、計時タイマのリセットキャンセルを４回（暫定リセット操作のキャンセル操作が２回の暫定リセット操作後さらに２回の計４回ということ）とする。電源オフオンカウントが２回（暫定リセット）のときには即点灯計時タイマＴｓｈ１（累積点灯時間）をリセットせずに一定時間初期点灯制御フラグＦｓｈを１（累積点灯時間をリセットした場合に相当する点灯制御での光出力）にする。さらに、点灯計時タイマとは別の点灯時間タイマＴｓｈ２（暫定リセット操作後の点灯時間）を開始する。このことで、フローの上位にある点灯制御では、Ｆｓｈがあるときには初期の点灯計時タイマ状態で点灯制御される。点灯計時タイマＴｓｈ２が一定時間経過すると、Ｔｓｈ１をリセット（Ｔｓｈ＝０）処理（暫定リセットの確定）する。
【００４８】
（暫定リセット操作のキャンセル）
マイコン５は、点灯計時タイマＴｓｈ２が一定時間内（リセット確定猶予時間以内）のとき、かつ、電源オフオンカウントが４回のときには、一時時間初期点灯制御フラグＦｓｈを０（累積点灯時間Ｔｓｈ１に従った点灯制御の光出力）にする。このようにすると、一定時間経過したときでも点灯計時タイマＴｓｈ１がリセットされることはなく、さらに、フローの上位にある点灯制御でも一時時間初期点灯制御フラグＦｓｈが０であるため、初期の点灯タイマ状態で点灯制御されず、点灯計時タイマＴｓｈ１に従った点灯制御を行うことができる。
【００４９】
したがって、商用電源の供給が所定の時間のオフ操作及びオン操作（電源スイッチの電源オンオフ操作）されるとき、この電源オンオフ操作が第１の回数（図６の例ではＮ＝２）であるときに、点灯計時タイマを暫定的にリセットする。さらに、電源オフオン操作が第１の回数より多い第２の回数（図６の例ではＮ＝４）であるときに、点灯計時タイマのリセットをキャンセルする。
【００５０】
このように、点灯計時タイマＴｓｈ１のリセット及びリセットのキャンセルとをできるようにして使い勝手を向上させた。したがって、電源オフオン操作を第１の回数だけ実施し、リセット確定猶予期間の間に第２の回数までオンオフ操作すれば、点灯計時タイマのリセットはキャンセルされ、リセットされない。しかし、通常は第１の回数が実施されることで点灯計時タイマがリセットされてしまったものをキャンセルできるようにさせる必要がある。ただし点灯計時タイマは第１の回数実施されているため、初期の点灯計時タイマで放電灯ＬＡを点灯させる必要がある。
【００５１】
なお、これらのフラグは、不揮発性メモリ１３に書き込むことで、マイコン電源回路１４からマイコン５に供給する制御電源が遮断されるようなとき、例えば長時間の商用交流電源１２０の電源オフの操作される場合に、放電灯点灯装置１００がマイコン５を動作させるバッテリーを備えていなくても、本制御が可能である。したがって、Ｔｓｈ２を長く設定することも可能である。
【００５２】
なお、本実施の形態１では、オフオン操作の回数が、第１の回数より多い第２の回数の場合に、点灯計時タイマＴｓｈ１のリセットをキャンセルする操作について説明したが、オフオン操作の回数が、第１の回数より少ない第２の回数であってもよい。
【００５３】
実施の形態２．
図７〜図９を参照して実施の形態２の放電灯点灯装置２００を説明する。図７は放電灯点灯装置２００の動作概要を説明するタイムチャートである。図８は放電灯点灯装置２００の回路図である。図７の放電灯点灯装置２００は図３の放電灯点灯装置１００に対して、異常検出回路２１０を備えた点が異なる。異常検出回路２１０は、例えば、ランプ電圧検出部２１３、ランプ電流偏り検出部２１２、ランプ検出部２１１から成る。放電灯ＬＡの異常は、ランプ電圧が高くなったり、交流点灯が整流されたり、放電灯ＬＡのフィラメントが断線し、オープンになることがある。従って、異常検出回路２１０は、これらの異常を検出して、マイコン５に放電灯ＬＡが異常であることを示す異常検出信号を出力する。図９は放電灯点灯装置２００の動作を示すフローチャートである。
【００５４】
まず、図７、図８を参照して放電灯点灯装置２００の動作概要を説明する。放電灯点灯装置２００は、異常検出回路２１０による放電灯ＬＡの異常検出が、実施の形態１の暫定リセット操作検出に相当する構成である。
【００５５】
＜Ｕ１：放電灯の異常検出＞
マイコン５は、図７のように異常検出回路２１０によって放電灯の異常が検出された場合（Ｕ１の時刻）には、累積点灯時間がリセットされた場合に相当する駆動周波数でインバータ回路２の制御を開始する。また同時に、マイコン５は異常検出後における放電灯の点灯時間を示す異常検出後点灯時間Ｔｓｈ２の計測を累積点灯時間とは別に開始する。
【００５６】
＜Ｕ２：キャンセル操作の検出＞
マイコン５は、図７に示す「Ｎ１〜Ｎ４」（キャンセル操作）のように、異常検出後点灯時間Ｔｓｈ２がリセット確定猶予時間（例えば１時間）に達する前にキャンセル操作を検出した場合には、インバータ回路２の制御を累積点灯時間を参照した制御に戻す。
【００５７】
＜キャンセル操作の未検出＞
一方、マイコン５は異常検出後点灯時間Ｔｓｈ２がリセット確定猶予時間（１時間）に達するまでにキャンセル操作を検出しなかった場合には、不揮発性メモリ１３に記録された累積点灯時間をリセットし、暫定的な累積点灯時間のリセット状態を確定する。
【００５８】
放電灯点灯装置２００は、電源スイッチの所定操作による累積時間のリセットと、放電灯の異常信号に従うリセットに対して、電源スイッチを所定操作することで、リセット動作をキャンセルし、累積時間のリセット誤動作を回避することができる。
【００５９】
以上のように放電灯の異常信号に従う暫定的リセットに対して、リセット確定猶予時間内のキャンセル操作で暫定的リセットをキャンセルできる構成とした。よって、累積点灯時間のリセット誤動作を回避できる。
【００６０】
図９は、本実施の形態２の放電灯点灯装置２００のマイコン５の具体的な動作を示すフローチャートである。図９を参照して放電灯点灯装置２００のマイコン５の具体的動作を説明する。
【００６１】
＜Ｓ１，Ｓ２＞
まず、マイコン５は、商用交流電源１２０が供給されていることを検出（ステップ１）すると、点灯計時タイマＴｓｈ１、一定時間初期点灯制御フラグＦｓｈ、点灯計時タイマＴｓｈ２の情報を不揮発性メモリ１３から読み出す（ステップ２）。
【００６２】
＜Ｓ５＞
次に放電灯点灯制御を行うが、点灯計時タイマＴｓｈ１及び一定時間初期点灯制御フラグＦｓｈに基づく調光度で、放電灯ＬＡを点灯させる調光点灯信号を調光制御回路１５に出力するとともに、電力供給時間Ｔの計測を開始する（ステップ５）。
【００６３】
＜Ｓ１１＞
次に、マイコン５は異常検出回路２１０から放電灯ＬＡの異常を検出している異常検出信号が出力されているか否かを判定（ステップ１１）する。異常検出信号が出力されていないと判定すると、通常の点灯制御モード（次の処理）に移行する。
【００６４】
＜Ｓ１３，Ｓ１４＞
ステップ１１で異常検出信号が出力されていると判定すると、マイコン５は放電灯ＬＡを消灯させるための放電灯消灯制御信号を調光制御回路１５に出力する（ステップ１３）。そして、マイコン５は、不揮発性メモリ１３に電力供給時間Ｔ、一時停止検出フラグＦ、点灯計時タイマＴｓｈ１、一定時間初期点灯制御フラグＦｓｈ、及び点灯計時タイマＴｓｈ２の値を書き込む（ステップ１４）。また、マイコン５は、一定時間初期点灯制御フラグＦｓｈをＦｓｈ＝１とするとともに、この一定時間初期点灯制御フラグＦｓｈの値を不揮発性メモリ１３に書き込む（ステップ１４）。
【００６５】
＜Ｓ１５＞
次に、マイコン５は商用交流電源１２０の供給が検出されているか否かを判定（ステップ１５）し、商用交流電源１２０が供給されていると判定するときは放電灯ＬＡが交換されるまで、この状態を維持する。マイコン５はランプ検出部２１１によって放電灯ＬＡの交換を検出すると（ステップ１６）、暫定リセット操作の検出時（Ｓ７−２）と同様に、一定時間初期点灯制御フラグＦｓｈをＦｓｈ＝１に設定し、フラグ値を不揮発性メモリ１３に書き込み（ステップ１７）、同時に点灯計時タイマ設定Ｔｓｈ２の計測を開始する。そして図６の「Ｂ」に移行する。
【００６６】
＜Ｓ１５で商用電源なし＞
ステップ１５で商用交流電源１２０が供給されていないと判定するときは、マイコン５は実施の形態１の図５に示す「丸１」の処理に移行する。
【００６７】
このように、異常検出回路２１０からの信号を受けて、ステップ１２で一定時間初期点灯フラグＦｓｈをＦｓｈ＝１にする。また、放電灯ＬＡが異常であるので、例えば、放電灯ＬＡを消灯制御する（ステップ１３）。この次に行われる動作は、商用電源のオフオン、または、ランプ交換である。このため、ステップ１５で商用交流電源１２０が供給されているか、否かを判定している。特に、上述したように、ステップ１５で商用交流電源１２０が供給されていないときに、放電灯ＬＡを交換すると電気的に放電灯ＬＡの交換を検出できない。よってこれ以降の動作を実施の形態１の図５の「丸１」へ移行すると、商用交流電源１２０が供給されてから放電灯ＬＡが交換されたか否かを判定することができるので有用である。
【００６８】
したがって、本実施の形態２では、放電灯ＬＡが異常であること検出して、点灯計時タイマをリセットすることができる。また、電源オフオン操作が所定の回数であるときに、点灯計時タイマのリセットをキャンセルすることができる。
【００６９】
このように、放電灯ＬＡの異常を検出したときでも、所定の電源オフオン操作で計時タイマのリセットをキャンセルすることができる。放電灯ＬＡのランプ電圧が高い、または、ランプ電流が偏るということは、正常なランプであっても環境の変化、使用時間によって起こる可能性があるため、正常なランプであるときに、点灯計時タイマのリセット誤動作を防ぐことができる。一般的な点灯装置であれば、何らかの影響で正常ランプを異常ランプと誤認識しても再度電源オフオンで次には点灯する。しかし、点灯計時タイマがリセットされると再び点灯計時タイマを戻すことができない。従って、点灯計時タイマがリセットされてしまったものをキャンセルできるようにさせる必要がある。ただし、ランプが本当に異常ランプであるときが正であるため、初期の点灯計時タイマで放電灯を点灯させる必要がある。
【００７０】
以上の実施の形態２では、電源スイッチの所定操作による累積点灯時間のリセットの場合と、放電灯の異常信号に従う暫定的リセットとの場合との双方に対して、暫定的リセットのキャンセルを説明した。しかし、これは一例であり、放電灯の異常信号に従う暫定的リセットのみについて適用してもよいし、電源スイッチの所定操作による累積点灯時間のリセット（実施の形態１に該当）にのみ適用しても構わない。
【符号の説明】
【００７１】
１  電源整流回路、２  インバータ回路、３  負荷回路、４  ドライブ回路、５  マイコン、１１  アクティブフィルタ回路、１２  商用電源検出回路、１３  不揮発性メモリ、１４  マイコン電源回路、１５  調光制御回路、１００，２００  放電灯点灯装置、１２０  商用交流電源、１２１  電源スイッチ、２１０  異常検出回路、２１１  ランプ検出部、２１２  ランプ電流偏り検出部、２１３  ランプ電圧検出部、Ｑ１，Ｑ２，Ｑ３  ＭＯＳＦＥＴ、Ｌ１，Ｌ２  インダクタ、Ｃ１，Ｃ４  電解コンデンサ、Ｃ２，Ｃ３  コンデンサ、ＬＡ  放電灯、Ｒ１〜Ｒ３  抵抗、ＩＣ  集積回路、Ｄ１，Ｄ３  ダイオード、Ｄｚ  ツェナーダイオード。
【図１】
2011124128.tif 000003
【図２】
2011124128.tif 000004
【図３】
2011124128.tif 000005
【図４】
2011124128.tif 000006
【図５】
2011124128.tif 000007
【図６】
2011124128.tif 000008
【図７】
2011124128.tif 000009
【図８】
2011124128.tif 000010
【図９】
2011124128.tif 000011